(57)【要約】      （修正有）【課題】産毛等の処理において、肌荒れ等を起こすことがなく、小型にでき、片手で簡単に操作することができる毛の抜き取り具を提供する。【解決手段】略中間高さ位置に設けられた揺動枢支部を揺動中心として端部が接離する方向に揺動可能に対峙された一対の揺動片と、当該揺動片の一端部同士が近接し他端部同士が離反するように付勢する押圧付勢手段と、各の揺動片の一端部から他端部の糸保持部に張り渡され、その一部で捩られた絡め取り用糸とを備え、押圧付勢手段の押圧力に抗して揺動片を操作し、絡め取り用糸の捩られた部分を移動させるときに、当該部分に毛を絡ませて脱毛するように構成した。【選択図】図２
0003156495.tif 000002
【実用新案登録請求の範囲】
【請求項１】
略中間高さ位置に設けられた揺動枢支部を揺動中心として端部が接離する方向に揺動可能に対峙された一対の揺動片と、当該揺動片の一端部同士が近接し他端部同士が離反するように付勢する押圧付勢手段と、各の揺動片の一端部から他端部の糸保持部に張り渡され、その一部で捩られた絡め取り用糸とを備え、押圧付勢手段の押圧力に抗して揺動片を操作し、絡め取り用糸の捩られた部分を移動させるときに、当該部分に毛を絡ませて脱毛するように構成したことを特徴とする毛の抜き取り具。
【請求項２】
揺動片が、側面視においてコの字もしくはＣ型に形成され、その両先端部の少なくとも一方に絡め取り用糸の張力を調整可能に構成された糸保持部が設けられている揺動片が、側面視においてコの字もしくはＣ型に形成され、両先端部に絡め取り用糸が取り付けられる糸保持部が設けられていることを特徴とする請求項１に記載の毛の抜き取り具。
【請求項３】
押圧付勢手段が、弾性を有する合成樹脂もしくは鋼材でＵ型若しくはＣ型に形成され、当該Ｕ型若しくはＣ型の内方に揺動枢支部が位置するように、両端部が一対の揺動片の外面で揺動枢支部から外れた位置に当接するように設けられたバネ部材でされていることを特徴とする請求項１または請求項２に記載の毛の抜き取り具。
【請求項４】
絡め取り用糸が、マルチフィラメント若しくは表面に毛羽を有する繊維で形成されていることを特徴とする請求項１乃至請求項３のいずれか１項に記載の毛の抜き取り具。
【考案の詳細な説明】
【技術分野】
【０００１】
本考案は手動にて毛、特に産毛を取るための毛の抜き取り具に関するものである。
【背景技術】
【０００２】
一般に、産毛は、肌のくすみの原因になることから、こうしたうぶ毛は、カミソリや電動型の髭剃り等で剃っていた。
ところが、こうした手段による産毛取りでは、表面だけをカットするために新たな産毛が生えやすく頻繁に産毛取りを行わなくてはならないという問題があった。
また、例えばカミソリで剃る場合、肌が荒れるために、予めスキンクリームで産毛を軟化させるとともに肌荒れを防止するようにしているが、その剃った後の洗顔等、手入れ面倒である上、剃った後の産毛は徐々に濃くなる傾向があるという問題があった。
【０００３】
そこで、こうした問題に対処するために、台湾や中国等で両手に張った糸を操作して産毛を糸に絡ませて取るようにしたものを、脱毛器具として具現化したものが特許文献１で提案されている。
この先の提案にかかるものでは、鋼板で形成された音叉型のフレームの先端に絡め取り用の糸を交差状に張り渡し、音叉部分の中間高さ位置の設けた押し込み用レバーを操作して、張り渡された絡め取り用の糸を回転させることにより、この糸に産毛を絡ませて抜き取るようにしたものである。
【０００４】
したがって、こうしたものでは、まず、器具全体が大型化するだけでなく、一方の手で柄を握り、他方の手で押し込み用レバーを操作しなくてはならず、両手がふさがってしまうことから、例えば状況確認のための鏡等の操作を行うことができないという問題があった。
【先行技術文献】
【特許文献】
【０００５】
【特許文献１】登録実用新案第３１２２８６３号公報
【考案の開示】
【考案が解決しようとする課題】
【０００６】
本考案は上記問題点に鑑み提案されたもので、例えば、産毛は剃ることにより濃くなったり肌荒れを起こすが、こうした毛が濃くなったり肌が荒れたりすることがなく、小型にでき、片手で簡単に操作することができる毛の抜き取り具を提供できるようにすることを目的とするものである。
【課題を解決するための手段】
【０００７】
上記目的を達成するために、本考案にかかる毛の抜き取り具は、略中間高さ位置に設けられた揺動枢支部を揺動中心として端部が接離する方向に揺動可能に対峙された一対の揺動片と、当該揺動片の一端部同士が近接し他端部同士が離反するように付勢する押圧付勢手段と、各の揺動片の一端部から他端部の糸保持部に張り渡され、その一部で捩られた絡め取り用糸とを備え、押圧付勢手段の押圧力に抗して揺動片を操作し、絡め取り用糸の捩られた部分を移動させるときに、当該部分に産毛を絡ませて脱毛するように構成したことを特徴とするものである。
【０００８】
また、本考案にかかる毛の抜き取り具は、揺動片が、側面視においてコの字もしくはＣ型に形成され、その両先端部の少なくとも一方に絡め取り用糸の張力を調整可能に構成された糸保持部が設けられていること、押圧付勢手段が、弾性を有する合成樹脂もしくは鋼材でＵ型若しくはＣ型に形成され、当該Ｕ型若しくはＣ型の内方に揺動枢支部が位置するように、両端部が一対の揺動片の外面で揺動枢支部から外れた位置に当接するように設けられたバネ部材でされていることや、絡め取り用糸が、マルチフィラメント若しくは表面に毛羽を有する繊維で形成されていることも特徴とするものである。
【考案の効果】
【０００９】
本考案にかかる毛の抜き取り具は、略中間高さ位置に設けられた揺動枢支部を揺動中心として端部が接離する方向に揺動可能に対峙された一対の揺動片と、当該揺動片の一端部同士が近接し他端部同士が離反するように付勢する押圧付勢手段と、各の揺動片の一端部から他端部に張り渡され、その一部で捩られた絡め取り用糸とを備え、押圧付勢手段の押圧力に抗して揺動片を操作し、絡め取り用糸の捩られた部分を移動させるときに、当該部分に毛を絡ませて脱毛するようにしてあるので、片手で揺動片を操作するだけで毛を引き抜くことができる。
【００１０】
これにより、例えば産毛を処理する場合に、剃ることにより濃くなったり肌荒れを起こしたりすることがなく産毛を脱毛することができる。
また、毛の抜き取り具が、押圧手段の押圧力に抗して一対の揺動片を揺動操作するだけの簡単な構造にして小型でコンパクトにまとめることができる。しかも片手で脱毛操作ができるので、空いた手で鏡等を操作して仕上がりや処理部分の確認を行える利点もある。
【図面の簡単な説明】
【００１１】
【図１】は本考案にかかる毛の抜き取り具の全体斜視図である。
【図２】は本考案にかかる毛の抜き取り具の分解斜視図である。
【図３】は本考案にかかる毛の抜き取り具の揺動枢支部の縦断正面図である。
【図４】は本考案にかかる毛の抜き取り具の使用状態の斜視図である。
【図５】は本考案にかかる毛の抜き取り具の使用状態の斜視図である。
【図６】は本考案にかかる毛の抜き取り具の他の押圧手段の全体斜視図である。
【考案を実施するための最良の形態】
【００１２】
以下本考案にかかる毛の抜き取り具の最も好ましい実施の形態を図面に基づいて説明する。
【実施例】
【００１３】
図１は本考案にかかる毛の抜き取り具の全体斜視図であって、図中符号１は毛の抜き取り具を全体的に示す。
この毛の抜き取り具１は、主として産毛を処理するためのものであって、中間位置からやや下寄りの高さ位置に設けられた揺動枢支部２を揺動中心として揺動可能に対峙された一対の揺動片３ａ、３ｂと、当該揺動片３ａ、３ｂの一端部同士が近接し他端部が離反するように付勢する押圧付勢手段４と、各の揺動片３ａ、３ｂの一端部の糸保持部５から他端部の糸保持部５に張り渡され、その一部で捩られた絡め取り用糸６とを備えてなる。
【００１４】
揺動片３ａ、３ｂは、合成樹脂により上下の両端部を先細りにし、この先細りにした部分を手前（前方）に曲げ、下方の先端部分に下部糸保持部５を、上部に上部糸保持部５を設けるとともに、各揺動片３ａ、３ｂは上記揺動枢支部２が設けられた部分で図上、左右方向に緩やかに折り曲げられて上方の糸保持部５同士が離間している。
上記下部糸保持部５は、細い切り込み１４で形成され、上部糸保持部５は孔に装着された巻き取り式コマ８で形成されている。
【００１５】
上記揺動枢支部２は、図２及び図３に示すように、対峙する一対の揺動片３ａ、３ｂの夫々の略中間高さ位置から下より部分にかけて押圧付勢手段装着用空間部分９を形成し、一方の揺動片３ｂの押圧付勢手段装着用空間９部分に半円形に突出させた揺動突出部１０を、他方の揺動片３aの前記揺動突出部１０に対面する押圧付勢手段装着用空間９部分には前記揺動突出部１０を受け止める揺動受け部１１を夫々の揺動片３ａ、３ｂと一体に形成するとともに、揺動突出部１０を揺動受け部１１に受けさせた状態で逆Ｕ字型に形成された板バネ（押圧付勢手段）１２を押圧付勢手段装着用空間９部分の上方から嵌着させて構成されている。
【００１６】
上記逆Ｕ字型に形成された板バネ１２の両先端部１２ａは図２に示すように、フック状に内側に折り曲げてあり、この先端部１２ａが揺動突出部１０と揺動受け部１１の各基端部に形成された掛合用凹部１３に掛合することにより、板バネ１２が嵌め殺し状に取りつけられている。
斯くして、揺動枢支部２に板バネ１２が取り付けられると、この板バネ１２の弾性力により一対の揺動片３ａ、３ｂの下端部分が当接し、上端部分が離間する状態に押圧付勢される（図１参照）。
【００１７】
上記のように構成された揺動片３ａ、３ｂにはその上下の糸保持部５、５にわたって、絡め取り用糸６が張設される。
この絡め取り用糸６は、綿糸のように毛羽を有する繊維を使用するのが望ましいが、こうしたものに限られず合成繊維のフィラメントであっても使用することができる。
そして、絡め取り用糸６の張設は、先ず、絡め取り用糸６の端を一方の揺動片３ａの先端部に細い切り込み１４で形成された下部糸保持部５に挟み、その周囲に２〜３周捲きつけて抜け止めした後、絡め取り用糸６を適宜の長さに切断し、切断した端部を同じ揺動片３ａの上部糸保持部５の巻き取り式コマの切り込み部分１４に挿し込み、この巻き取り式コマ８を回転させて絡め取り用糸６のたるみを取り除く。
【００１８】
次に、上記と略同様にして他方に揺動片３ｂの上下の糸保持部５にわたって絡め取り用糸６を張設する。
このとき、下部糸保持部５から上部糸保持部５に取り付けるときに、その途中部分を先に張り渡した絡め取り用糸６に２〜３回捲いて捩られた部分を形成する。
上部糸保持部５の巻き取り式コマ５を回転させて前記捩られた部分１５が、図１に示すように一対の揺動片３ａ、３ｂの中間部分に位置するように調節すると、「Ｙ」形になった絡め取り用糸毛の抜き取り具１が完成する。
【００１９】
上記のように形成された毛の抜き取り具１を使用して産毛を抜き取る手順を次に説明する。
図４に示すように、片手の掌１６で毛の抜き取り具１を挟み、親指１７を一方の揺動片３ｂの上寄り部に、人差し指１８を他方の揺動片３ａの上寄り部に当接させた状態にして握る。
この状態で、「Ｙ」形をした絡め取り用糸６の上部開口部分１９を、脱毛する毛を位置させて、図５に示すように板バネ１２の押圧力に抗して揺動片３ａ、３ｂを操作し、絡め取り用糸６の捩られた部分１５を上方に移動させる。
すると、この捩られた部分１５が上方に移動するときに、当該部分１５に産毛がしっかりと絡みついて脱毛される。
【００２０】
尚、図６に示すものは、上記実施の形態における揺動枢支部の押圧付勢手段が板バネで形成してあるのをコイルスプリング２０にしたものである。
このため本例では、押圧付勢手段１２をコイルスプリング２０にするために、揺動枢支部２を貫通する枢支軸２１にしてある。
また、糸保持部は、上下ともに巻き取り式コマ８にすることもできるし、逆に上下ともに切り込みによるものにすることができるのはもちろんのことである。
さらに、本考案にかかる毛の抜き取り具１は、産毛の処理だけでなく、例えば脛毛や腕の毛、胸毛等、他の毛の処理に使用することができることはいうまでもないことである。
【符号の説明】
【００２１】
１・・・毛の抜き取り具
２・・・揺動枢支部
３ａ、３ｂ・・・揺動片
４・・・押圧付勢手段
５・・・糸保持部
６・・・絡め取り用糸
７・・・孔
８・・・巻取り式コマ
９・・・押圧付勢手段装着用空間
１０・・・揺動突出部
１１・・・揺動受け部
１２・・・板バネ（押圧付勢手段）
１３・・・掛合用凹部
１４・・・切り込み
１５・・・捩られて部分
１６・・・掌
１７・・・親指
１８・・・人差し指
１９・・・上部開口部分
２０・・・コイルスプリング（押圧付勢手段）
２１・・・枢支軸
【図１】
0003156495.tif 000003
【図２】
0003156495.tif 000004
【図３】
0003156495.tif 000005
【図４】
0003156495.tif 000006
【図５】
0003156495.tif 000007
【図６】
0003156495.tif 000008